(57)【要約】【課題】廃棄物最終処分場に配設される浸出水集排水管において、管内に堆積したカルシウムスケールを定期的に除去する方法を提案する。【解決手段】集排水管５の管内を上下に分割する水平方向配置の仕切板１０によって仕切り、上部側空間をカルシウムスケールＣＳを分解可能な液性の分解除去剤Ｒが供給されるとともに、下面側に形成された多数の通孔１２，１２…を通して集排水管５内に前記分解除去剤を散布するための分解除去剤用流路ＲＦとする。また、前記分解除去剤用流路ＲＦの上流部に前記分解除去剤Ｒを注入するために縦方向配置の注入管１１を接続する。前記注入管１１より前記分解除去剤Ｒを定期的に注入することによって、前記集排水管５内に付着したカルシウムスケールを除去する。【選択図】図３
2008100161.tif 000002
【特許請求の範囲】
【請求項１】
廃棄物最終処分場に埋め立てられた廃棄物から浸出する浸出水を場外に排出するための集排水管において、前記集排水管内に堆積したカルシウムスケールを定期的に除去するための方法であって、
前記集排水管内の上部位置に、集排水管に沿って、カルシウムスケールを分解可能な液性の分解除去剤が供給されるとともに、多数の通孔を通して集排水管内に前記分解除去剤を散布するための分解除去剤用流路が形成され、かつ前記分解除去剤用流路に前記分解除去剤を供給するために注入管が接続され、
前記注入管より前記分解除去剤を定期的に供給することによって、前記集排水管内に付着したカルシウムスケールを除去することを特徴とするカルシウムスケールの除去方法。
【請求項２】
廃棄物最終処分場に埋め立てられた廃棄物から浸出する浸出水を場外に排出するための集排水管において、前記集排水管内に堆積したカルシウムスケールを定期的に除去するための方法であって、
前記集排水管内の上部位置に、集排水管に沿って、カルシウムスケールを分解可能な液性の分解除去剤が供給されるとともに、底面に形成された多数の通孔を通して集排水管内に前記分解除去剤を散布するための分解除去剤用流路が形成され、かつ前記分解除去剤用流路に前記分解除去剤を供給するための注入管が接続され、
前記注入管より前記分解除去剤を定期的に供給することによって、前記集排水管内に付着したカルシウムスケールを除去することを特徴とするカルシウムスケールの除去方法。
【請求項３】
前記分解除去剤用流路には、流水方向に間隔をおいて、前記分解除去剤を所定水位に堰き止めるための堰板が立設されている請求項１、２いずれかに記載のカルシウムスケールの除去方法。
【請求項４】
廃棄物最終処分場に埋め立てられた廃棄物から浸出する浸出水を場外に排出するための集排水管構造であって、
前記集排水管内の上部位置に、集排水管に沿って、カルシウムスケールを分解可能な液性の分解除去剤が供給されるとともに、多数の通孔を通して集排水管内に前記分解除去剤を散布するための分解除去剤用流路が形成され、かつ前記分解除去剤用流路に前記分解除去剤を供給するために注入管が接続されていることを特徴とする集排水管構造。
【請求項５】
廃棄物最終処分場に埋め立てられた廃棄物から浸出する浸出水を場外に排出するための集排水管構造であって、
前記集排水管内の上部位置に、集排水管に沿って、カルシウムスケールを分解可能な液性の分解除去剤が供給されるとともに、底面に形成された多数の通孔を通して集排水管内に前記分解除去剤を散布するための分解除去剤用流路が形成され、かつ前記分解除去剤用流路に前記分解除去剤を供給するための注入管が接続されていることを特徴とする集排水管構造。
【請求項６】
前記集排水管は、管内を上下に分割する水平方向配置の仕切板によって仕切られ、上部側空間を前記分解除去剤用流路としている請求項４，５いずれかに記載の集排水管構造。
【請求項７】
前記集排水管内の上部側に別途管材を配設し、この管材を前記分解除去剤用流路としている請求項４，５いずれかに記載の集排水管構造。
【請求項８】
前記分解除去剤用流路には、流水方向に間隔をおいて、前記分解除去剤を所定水位に堰き止めるための堰板が立設されている請求項４〜７いずれかに記載の集排水管構造。
【請求項９】
前記堰板で区切られた複数区間を１ブロックとして前記分解除去剤用流路を仕切り、各ブロック毎に、前記分解除去剤を供給するための注入管を接続してある請求項８記載の集排水管構造。
【請求項１０】
管内の上部位置に、流水方向に沿って、前記カルシウムスケールを分解可能な液性の分解除去剤が供給されるとともに、多数の通孔を通して管内に前記分解除去剤を散布するための分解除去剤用流路が形成されたことを特徴とする集排水管。
【発明の詳細な説明】
【技術分野】
【０００１】
本発明は、廃棄物最終処分場に埋め立てられた廃棄物から浸出する浸出水を場外に排出するための集排水管において、前記集排水管内に堆積したカルシウムスケールを定期的に除去するための方法並びにそのために集排水管構造及び集排水管に関する。
【背景技術】
【０００２】
従来より、廃棄物は、廃棄物最終処分場へ直接埋め立てられるか、焼却処理後に焼却残渣として埋め立てられていた。ところが近年では、減容化や殺菌などの観点から、後者のように廃棄物を焼却処理して焼却残渣として埋め立てる割合が増加してきている。前記焼却残渣には、廃棄物の燃焼に伴う有害ガスを処理する目的で大量の消石灰が使用されているため、高濃度のカルシウムが含有されている。したがって、埋め立てられた焼却残渣から浸出する浸出水に、カルシウムが高い割合で含有され、この浸出水に含まれるカルシウム成分がカルシウムスケールとして付着、沈積又は蓄積して様々な問題を引き起こしている。具体的には、最終処分場においては、浸出水を集水して場外に速やかに排出する目的で最終処分場に配設される集排水管の内壁に付着して、管の閉塞による排水性の低下などの問題を生じ、集排水した浸出水を処理する水処理施設においては、配管、貯留槽、ポンプなどの内部に付着、沈積し、管の閉塞、フィルターの目詰まり又はポンプのインペラへの大量付着による過負荷などの問題を生じている。
【０００３】
このような問題に鑑みて、下記特許文献１では、浸出水の水処理施設におけるカルシウムスケールを防止するため、カルシウムおよび炭酸イオンを含有する浸出水などの廃水からのカルシウムのスケーリングを防止するカルシウムスケーリング防止方法であって、前記廃水中のカルシウム濃度、全無機炭素濃度およびpHをモニターすることにより、カルシウムスケールの生成量を予測して、スケーリング防止対策の必要性を判断し、この判断に基づいて、カルシウムの除去或いは無機炭素の除去の方法を実施するカルシウムスケーリング防止方法が提案されている。そして、具体的なカルシウムスケーリング防止対策としては、スケーリング防止剤の添加もしくは炭酸ナトリウムなどを用いた凝集沈殿によるカルシウムの除去方法、あるいは液を酸性にするとともにばっ気することによる無機炭素除去方法（酸性ばっ気処理）などが提案されている。
【０００４】
また、下記特許文献２では、一般の工業排水処理場や公共下水処理場の汚泥用凝集剤として多用されている消石灰懸濁液の汚泥凝集効果に影響することなく、消石灰懸濁液の調整槽、移送配管、遠心脱水機内、遠心脱水機フィルターおよび排水配管内等への炭酸カルシウムスケールの付着、蓄積を防止するため、消石灰懸濁液を用いた汚泥凝集処理工程において、該消石灰懸濁液による炭酸カルシウムスケールの抑制剤であって、アクリル酸と２−アクリルアミド−２−メチルプロパンスルホン酸を構成単位として含む共重合体および／又はその水溶性塩を含有する消石灰懸濁液による炭酸カルシウムスケールの抑制剤が提案されている。
【特許文献１】特開平７−１８５５９０号公報
【特許文献２】特開２００６−４３６００号公報
【発明の開示】
【発明が解決しようとする課題】
【０００５】
しかしながら、上記特許文献１及び２記載のカルシウムスケーリング防止方法は、集排水した浸出水を処理するための水処理施設における対策手段であって、一旦沈殿槽に貯留した処理水に凝集剤を添加して固液分離する凝集沈殿法などによってカルシウム成分を除去する方法であるため、かかる除去方法は、処理水を貯留することができる水処理施設においては有効であるものの、浸出水を集排水するために埋立地底部に埋設され、浸出水が直接浸入する集排水管におけるカルシウムスケールの防止方法としては有効でなかった。
【０００６】
このように、廃棄物最終処分場における浸出水によるカルシウムスケールの除去対策は、水処理施設においては上記特許文献１及び２記載の方法などにより比較的容易に行われるが、最終処分場に埋設された集排水管に対しては、これまで殆ど行われていなかった。ところが、集排水管内にカルシウムスケールが付着して集排水管が閉塞すると、最終処分場内の排水性が低下して、埋立地内の滞水位が上昇し、降雨時には浸出水のオーバーフローによって地下水汚染等の問題が生じ得る。そのため、最終処分場に配設される集排水管内のカルシウムスケール除去は重要な課題である。
【０００７】
そこで本発明の主たる課題は、廃棄物最終処分場に配設される浸出水集排水管において、管内に堆積したカルシウムスケールを定期的に除去する方法並びにそのための集排水管構造及び集排水管を提供することにある。
【課題を解決するための手段】
【０００８】
前記課題を解決するために請求項１に係る本発明として、廃棄物最終処分場に埋め立てられた廃棄物から浸出する浸出水を場外に排出するための集排水管において、前記集排水管内に堆積したカルシウムスケールを定期的に除去するための方法であって、
前記集排水管内の上部位置に、集排水管に沿って、カルシウムスケールを分解可能な液性の分解除去剤が供給されるとともに、多数の通孔を通して集排水管内に前記分解除去剤を散布するための分解除去剤用流路が形成され、かつ前記分解除去剤用流路に前記分解除去剤を供給するために注入管が接続され、
前記注入管より前記分解除去剤を定期的に供給することによって、前記集排水管内に付着したカルシウムスケールを除去することを特徴とするカルシウムスケールの除去方法が提供される。
【０００９】
請求項２に係る本発明として、廃棄物最終処分場に埋め立てられた廃棄物から浸出する浸出水を場外に排出するための集排水管において、前記集排水管内に堆積したカルシウムスケールを定期的に除去するための方法であって、
前記集排水管内の上部位置に、集排水管に沿って、カルシウムスケールを分解可能な液性の分解除去剤が供給されるとともに、底面に形成された多数の通孔を通して集排水管内に前記分解除去剤を散布するための分解除去剤用流路が形成され、かつ前記分解除去剤用流路に前記分解除去剤を供給するための注入管が接続され、
前記注入管より前記分解除去剤を定期的に供給することによって、前記集排水管内に付着したカルシウムスケールを除去することを特徴とするカルシウムスケールの除去方法が提供される。
【００１０】
上記請求項１，２記載の本発明は、集排水管内の上部位置に、集排水管に沿って、カルシウムスケールを分解可能な液性の分解除去剤が供給されるとともに、任意に或いは底面に形成された多数の通孔を通して集排水管内に前記分解除去剤を散布するための分解除去剤用流路を形成し、かつ前記分解除去剤用流路に前記分解除去剤を供給するための注入管を接続するようにした。すなわち、集排水管内に直接的に分解除去剤を注入した場合には、分解除去剤が特定部分を流下するようになるため、堆積したカルシウムスケール全体を均等に除去することができない問題点に鑑み、本発明では特に、管内の上部位置に別途、分解除去剤用流路を形成し、この分解除去剤流路に分解除去剤を供給し、通孔を通して上面側から分解除去剤を散布するようにした。従って、前記注入管から前記分解除去剤を定期的に注入することによって、分解除去剤が堆積したカルシウムスケールの全体に散布されるようになるため集排水管内に堆積したカルシウムスケールを効果的に除去することが可能となる。
【００１１】
請求項３に係る本発明として、前記分解除去剤用流路には、流水方向に間隔をおいて、前記分解除去剤を所定水位に堰き止めるための堰板が立設されている請求項１、２いずれかに記載のカルシウムスケールの除去方法が提供される。
【００１２】
上記請求項３記載の本発明は、前記分解除去剤用流路に、流水方向に間隔をおいて、前記分解除去剤を所定水位に堰き止めるための堰板を立設するようにしたものである。仮に、分解除去剤用流路の流路面積が大きく、かつ堰板を有せず流路終端を閉塞板で塞いだ分解除去剤流路に対して、分解除去剤を供給した場合には、分解除去剤は早い速度で流下し、上流側に分解除去剤を効果的に散布できなくなってしまう問題が発生するため、本請求項３記載の発明では、流水方向に所定の間隔で堰板を設け、堰板部位毎にその上流側に所定の水位を確保できるようにしたため、上流側から下流に亘って均一に前記分解除去剤を散布できるようになる。
【００１３】
請求項４に係る本発明として、廃棄物最終処分場に埋め立てられた廃棄物から浸出する浸出水を場外に排出するための集排水管構造であって、
前記集排水管内の上部位置に、集排水管に沿って、カルシウムスケールを分解可能な液性の分解除去剤が供給されるとともに、多数の通孔を通して集排水管内に前記分解除去剤を散布するための分解除去剤用流路が形成され、かつ前記分解除去剤用流路に前記分解除去剤を供給するために注入管が接続されていることを特徴とする集排水管構造が提供される。
【００１４】
請求項５に係る本発明として、廃棄物最終処分場に埋め立てられた廃棄物から浸出する浸出水を場外に排出するための集排水管構造であって、
前記集排水管内の上部位置に、集排水管に沿って、カルシウムスケールを分解可能な液性の分解除去剤が供給されるとともに、底面に形成された多数の通孔を通して集排水管内に前記分解除去剤を散布するための分解除去剤用流路が形成され、かつ前記分解除去剤用流路に前記分解除去剤を供給するための注入管が接続されていることを特徴とする集排水管構造が提供される。
【００１５】
請求項６に係る本発明として、前記集排水管は、管内を上下に分割する水平方向配置の仕切板によって仕切られ、上部側空間を前記分解除去剤用流路としている請求項４、５いずれかに記載の集排水管構造が提供される。
【００１６】
上記請求項６記載の発明は、分解除去剤用流路の形成態様の一例を示したものである。前記分解除去剤用流路としては、集排水管内を上下に分割する水平方向配置の仕切板によって仕切り、上部側空間を前記分解除去剤用流路とすることができる。
【００１７】
請求項７に係る本発明として、前記集排水管内の上部側に別途管材を配設し、この管材を前記分解除去剤用流路としている請求項４，５いずれかに記載の集排水管構造が提供される。
【００１８】
上記請求項７記載の発明は、分解除去剤用流路の形成態様の一例を示したものである。前記分解除去剤用流路としては、集排水管内の上部側に別途管材を配設し、この管材を前記分解除去剤用流路とすることができる。
【００１９】
請求項８に係る本発明として、前記分解除去剤用流路には、流水方向に間隔をおいて、前記分解除去剤を所定水位に堰き止めるための堰板が立設されている請求項４〜７いずれかに記載の集排水管構造が提供される。
【００２０】
上記請求項８記載の発明は、分解除去剤用流路に、流水方向に間隔をおいて、前記分解除去剤を所定水位に堰き止めるための堰板を設けるようにしたものであり、上記請求項３の欄で詳述したように、堰板配設部毎にその上流側に所定の水位を確保できるようになるため、上流側から下流に亘って均一に前記分解除去剤を散布できるようになる。
【００２１】
請求項９に係る本発明として、前記堰板で区切られた複数区間を１ブロックとして前記分解除去剤用流路を仕切り、各ブロック毎に、前記分解除去剤を供給するための注入管を接続してある請求項８記載の集排水管構造が提供される。
【００２２】
上記請求項９記載の本発明は、堰板で区切られた複数区間を１ブロックとして前記分解除去剤用流路を仕切り、各ブロックの上流部に前記分解除去剤を注入するための注入管を接続したものであり、各ブロック毎に分解除去剤を確実に散布出来るようになる。
【００２３】
請求項１０に係る本発明として、管内の上部位置に、流水方向に沿って、前記カルシウムスケールを分解可能な液性の分解除去剤が供給されるとともに、多数の通孔を通して管内に前記分解除去剤を散布するための分解除去剤用流路が形成されたことを特徴とする集排水管が提供される。
【発明の効果】
【００２４】
以上詳説のとおり本発明によれば、廃棄物最終処分場に配設される浸出水集排水管において、管内に堆積したカルシウムスケールを定期的に除去することが可能となる。
【発明を実施するための最良の形態】
【００２５】
以下、本発明の実施の形態について図面を参照しながら詳述する。
図１は、本発明に係るカルシウムスケール除去方法を採用した廃棄物最終処分場１（以下、最終処分場１という）の外観図であり、図２はそのII−II断面図である。
【００２６】
最終処分場１は、図１及び図２に示されるように、埋め立てられた焼却残渣や廃棄物（以下、焼却残渣２という）からの浸出水が地下水層へ漏洩しないよう遮水材３が敷設された窪地からなり、この窪地には、前記焼却残渣２から浸出した浸出水を、窪地外又は窪地内（図示例では窪地外）に設けられた集水ピット４に送るための集排水管Ｐが配設される。前記集排水管Ｐは、例えば図１に示されるように、最終処分場１の底部に配設され自然流下によって前記集水ピット４への排水が可能なように勾配が設けられた有孔管からなる底部集排水管幹線５と、該底部集排水管幹線５の側部に配設され、自然流下によって前記底部集排水管幹線５への排水が可能なように勾配が設けられた有孔管からなる底部集排水管支線６と、該底部集排水管支線６の端部に配設され、窪地の法面に沿って設けられた有孔管からなる法面集排水管７と、前記底部集排水管幹線５の上部に、焼却残渣２の埋立表面から突出して設けられた有孔管からなる竪形集排水管８とから構成されている。なお、前記集排水管Ｐの周囲には、目詰まり防止のため栗石、砕石等の被覆材９が配設されている。なお、集排水管５〜８の管側面には、図４及び図５に示されるように、複数の浸入孔５ａ、５ａ…が形成され、焼却残渣２から浸出した浸出水が管内に浸入できるようになっている。
【００２７】
前記集排水管Ｐとして、有孔ヒューム管や、強化プラスチック管、硬質ポリエチレン管又は硬質塩化ビニル管などの合成樹脂管や、各種複合管など、一般的に集水管、排水管として用いられている材質のものを使用することができる。
【００２８】
近年、廃棄物の燃焼に伴う有害ガスを処理する目的で大量の消石灰が使用されるようになってきたため、前記焼却残渣２には高濃度のカルシウムが含有されている。このため、埋め立てられた焼却残渣２から浸出する浸出水にも、高濃度のカルシウムが含有されるようになり、この浸出水が流下する集排水管Ｐには、図３に示されるように、カルシウムスケールＣＳが付着、沈積する問題が生じている。
【００２９】
そこで本発明では、少なくとも前記底部集排水管幹線５に対し、好ましくはすべての集排水管５〜８に対して、カルシウムスケールの除去手段が施されている。以下、前記底部集排水管幹線５（以下、集排水管５ともいう）を例に採り、カルシウムスケールの除去手段について、図３〜図５に基づいて詳述する。
【００３０】
図３は、本発明に係る集排水管５の使用状態を示す軸方向断面図である。集排水管５は、図３に示されるように、埋め立てられた焼却残渣２から浸出した浸出水を場外に排出するため、下流側へ自然流下するように勾配が設けられ最終処分場１の底部に配設されている。
【００３１】
前記集排水管５の管内上部には、集排水管５に沿って、カルシウムスケールＣＳを分解可能な液性の分解除去剤Ｒが供給されるとともに、下面側に形成された多数の通孔１２，１２…を通して集排水管５内に前記分解除去剤Ｒを散布するための分解除去剤用流路ＲＦが形成され、かつ前記分解除去剤用流路ＲＦの上流部に前記分解除去剤Ｒを注入するために縦方向配置の注入管１１が接続された構造となっている。
【００３２】
具体的には、前記集配水管５は、管内を上下に分割する水平方向配置の仕切板１０によって仕切られ、上部側空間がカルシウムスケールＣＳを分解する分解除去剤Ｒ（溶液）が供給されるとともに、下面側に形成された多数の通孔１２，１２…を通して集排水管内に前記分解除去剤Ｒを散布するための分解除去剤用流路ＲＦとされ、下部側空間が浸出水が流水するための浸出水用流路ＥＦとなっている。
【００３３】
なお、図示例では、複数の集排水管５Ａ〜５Ｃが１ブロックとされ、各ブロック毎に前記分解除去剤用流路ＲＦの始端及び終端が仕切壁１３，１３によって閉塞され、各分解除去剤用流路ＲＦの上部に注入管１１が接続された構造となっている。また、前記分解除去剤用流路ＲＦには、流水方向に間隔をおいて、分解除去剤Ｒを所定水位に堰き止めるための堰板１４Ａ、１４Ｂが立設されている。
【００３４】
具体的に図３に示される例では、分解除去剤用流路ＲＦは、３本の集排水管５Ａ、５Ｂ、５Ｃを１ブロックとして区画割りされ、集排水管５Ａにおいては、分解除去剤用流路ＲＦの始端に仕切壁１３を配設し、終端に堰板１４Ａを立設し、集排水管５Ｂにおいては、図４に示されるように、分解除去剤用流路ＲＦの終端に堰板１４Ｂを立設し、集排水管５Ｃにおいては、分解除去剤用流路ＲＦの終端に仕切壁１３を設けるようにしている。なお、前記ブロック割り及び堰板１４の配設間隔は任意である。従って、集排水管５Ａ〜５Ｃの中間部に堰板を設けることも可能である。
【００３５】
前記分解除去剤Ｒとしては、分解除去剤用流路ＲＦから通孔１２，１２…を通して浸出水用流路ＥＦに滴下されることにより、集排水管５内に堆積したカルシウムスケールを化学的作用により分解除去する効果を有する液性の薬剤が用いられる。かかる効果を有する分解除去剤としては市販されている任意のものを使用することができるが、好適には、例えば主として氷酢酸、クエン酸、過ギ酸及び過水の混合物からなる町田商事株式会社製のクリーピングＡ（商品名）が使用される。かかるクリーピングＡは、スケールを炭酸ガス及び酸素等に分解する薬液であって、毒劇物のような刺激臭も無く、人体に害を及ぼす蒸気を発生させることがない。また、弱酸性液（食酢程度）であるため、各種の材質に影響なく使用することが可能である。
【００３６】
次に、本発明に係るカルシウムスケールの除去手順について詳述する。図３に示されるように、前述の構成からなる集排水管５が埋設された最終処分場１において、焼却残渣２から浸出した浸出水が浸入孔５ａ、５ａ…から集排水管５の浸出水用流路ＥＦに浸入して流下すると、浸出水用流路ＥＦにカルシウムスケールＣＳが付着、堆積する。そこで、前記注入管１１から分解除去剤用流路ＲＦに分解除去剤Ｒを定期的に供給する。この分解除去剤用流路ＲＦに供給された分解除去剤Ｒは、分解除去剤用流路ＲＦを流下し、その一部が通孔１２、１２…から下層の浸出水用流路ＥＦに滴下されるが、集排水管５Ａの下流端に立設された堰板１４Ａで堰き止められ堰板１４Ａの立設高さまでの水位で分解除去剤用流路ＲＦに貯留される。このため、分解除去剤Ｒは、集排水管５Ａ内に設けられた各通孔１２、１２…から、ほぼ均一に下層の浸出水用流路ＥＦに滴下されるようになる。前記堰板１４Ａを溢流した分解除去剤Ｒは次の集排水管５Ｂの分解除去剤用流路ＲＦに至り、同じように堰板１４Ｂの立設高さまでの水位で分解除去剤用流路ＲＦに貯留され、さらに前記堰板１４Ｂを溢流した分解除去剤Ｒが集配水管５Ｃの分解除去剤用流路ＲＦに至るようになっている。各集排水管５Ａ〜５Ｃでは、前記堰板１４Ａ、１４Ｂ、仕切壁１３によって、所定水位で堰き止められているため、浸出水用流路ＥＦ内に均一に滴下されるようになる。これによって、集排水管５Ａの浸出水用流路ＥＦに付着したカルシウムスケールＣＳは、ムラ無く均一に除去することが可能となる。
【００３７】
前記分解除去剤Ｒは、１又は数ヶ月に１度の頻度で前記注入管１１から注入するのが分解除去剤Ｒの使用量が節約でき好ましい。
【００３８】
また、上述した管構造及びカルシウムスケールの除去手段は、底部集排水管幹線５を例に詳述したが、前記底部集排水管支線６、法面集排水管７及び竪形集排水管８においても同様に適用することができる。
【００３９】
〔他の形態例〕
(1)前記集排水管５は、管内の上部側位置に水平方向配置で設置した仕切板１０で仕切ることによって、上部側に分解除去剤用流路ＲＦを形成するようにしたが、図６に示されるように、集排水管５内の上部位置に別途、管材１５を設けることにより前記分解除去剤用流路ＲＦとしても良い。前記管材１５の断面形状は、円形、角形など任意とすることができる。この場合は、分解除去剤を散布するための通孔１２は散布可能であれば、側面、底面などの任意箇所に形成することができる。
(2)上記形態例では、流水方向に間隔をおいて堰板１４Ａ、１４Ｂを立設するようにしたが、前記分解除去剤用流路ＲＦの流水面積が小さく、分解除去剤が充満され、通孔１２から徐々に散水されるようにした場合には、前記堰板１４Ａ、１４Ｂは省略することが可能である。
(3)上記形態例では、前記注入管１１を縦方向配置で設置したが、縦方向配置には限定はされない。前記分解除去剤を前記分解除去剤用流路ＲＦを供給できれば、例えば、傾斜して配置されていても良いし、任意の流路形状で配置されていても良い。
【図面の簡単な説明】
【００４０】
【図１】廃棄物最終処分場１の外観図である。
【図２】そのII−II断面図である。
【図３】本発明に係る集排水管５の使用状態を示す軸方向断面図である。
【図４】中間部の集排水管５Ｂを示す(A)は軸方向断面図、(B)はＢ−Ｂ断面図、(C)は側面図である。
【図５】その使用状態を示す斜視図である。
【図６】他の形態例に係る中間部の集排水管５Ｂの使用状態を示す斜視図である。
【符号の説明】
【００４１】
１…廃棄物最終処分場、２…焼却残渣、３…遮水材、４…集水ピット、５…集排水管（底部集排水管幹線）、６…底部集排水管支線、７…法面集排水管、８…竪形集排水管、９…被覆材、１０…仕切板、１１…注入管、１２…通孔、１３…仕切壁、１４Ａ・１４Ｂ…堰板、１５…管材
【図１】
2008100161.tif 000003
【図２】
2008100161.tif 000004
【図３】
2008100161.tif 000005
【図４】
2008100161.tif 000006
【図５】
2008100161.tif 000007
【図６】
2008100161.tif 000008